(57)【要約】【課題】高感度かつ高精度であり、イムノアッセイに必要不可欠である特異性に優れる表面プラズモンを利用したアッセイ法、アッセイ用装置ならびにアッセイ用キットを提供すること。【解決手段】下記工程（ａ）〜（ｄ）を含むことを特徴とするアッセイ法。工程（ａ）：特定のプラズモン励起センサに、検体を接触させる工程、工程（ｂ）：工程（ａ）のプラズモン励起センサに、リガンドと酵素とのコンジュゲートを反応させる工程、  工程（ｃ）：工程（ｂ）のプラズモン励起センサに、消光剤基質を反応させ、消光剤が生成される工程、  工程（ｄ）：工程（ｃ）のプラズモン励起センサに、上記透明平面基板の、上記金属薄膜を形成していないもう一方の表面から、プリズムを経由してレーザ光を照射し、励起された蛍光色素から発光された蛍光量を測定する工程、および工程（ｅ）：工程（ｄ）の測定結果から、検体中に含有されるアナライト量を算出する工程。【選択図】なし【特許請求の範囲】
【請求項１】
下記工程（ａ）〜（ｅ）を含むことを特徴とするアッセイ法。
工程（ａ）：透明平面基板と、該基板の一方の表面に形成された金属薄膜と、該金属薄膜の、該基板とは接していないもう一方の表面に形成された誘電体からなるスペーサ層と、該スペーサ層の、該金属薄膜とは接していないもう一方の表面に形成された蛍光色素層と、該蛍光色素層の、該スペーサ層とは接していないもう一方の表面に固定化されたリガンドとを含むプラズモン励起センサに、検体を接触させる工程、
工程（ｂ）：該工程（ａ）を経て得られたプラズモン励起センサに、さらに、該プラズモン励起センサに含まれるリガンドとは同じであっても異なっていてもよいリガンドと酵素とのコンジュゲートを反応させる工程、
工程（ｃ）：該工程（ｂ）を経て得られたプラズモン励起センサに、消光剤基質を反応させ、消光剤が生成される工程、
工程（ｄ）：該工程（ｃ）を経て得られたプラズモン励起センサに、上記透明平面基板の、上記金属薄膜を形成していないもう一方の表面から、プリズムを経由してレーザ光を照射し、励起された蛍光色素から発光された蛍光量を測定する工程、および
工程（ｅ）：該工程（ｄ）で得られた測定結果から、検体中に含有されるアナライト量を算出する工程。
【請求項２】
上記金属薄膜が、金、銀、アルミニウム、銅および白金からなる群から選ばれる少なくとも１種の金属から形成されている請求項１に記載のアッセイ法。
【請求項３】
上記金属が、銀からなる請求項２に記載のアッセイ法。
【請求項４】
上記誘電体が、二酸化ケイ素（ＳｉＯ4）または二酸化チタン（ＴｉＯ2）を含む請求項１〜３のいずれかに記載のアッセイ法。
【請求項５】
上記蛍光色素層が、上記スペーサ層の、上記金属薄膜とは接していないもう一方の表面に、蛍光色素とポリマーとを含有する組成物を塗工することによって形成される請求項１〜４のいずれかに記載のアッセイ法。
【請求項６】
上記蛍光色素層が、上記スペーサ層の、上記金属薄膜とは接していないもう一方の表面に、シランカップリング剤を介して結合することによって形成される請求項１〜４のいずれかに記載のアッセイ法。
【請求項７】
上記リガンドが、腫瘍マーカーまたはがん胎児性抗原を認識し結合する１次抗体である請求項１〜６のいずれかに記載のアッセイ法。
【請求項８】
上記検体が、血液、血清、血漿、尿、鼻孔液および唾液からなる群から選択される少なくとも１種の体液である請求項１〜７のいずれかに記載のアッセイ法。
【請求項９】
上記酵素が、β−ガラクトシダーゼ、β−グルコシダーゼ、アルカリフォスファターゼまたはグルコースオキシダーゼである請求項１〜８のいずれかに記載のアッセイ法。
【請求項１０】
上記アナライトに、上記コンジュゲートが結合する請求項１〜９のいずれかに記載のアッセイ法。
【請求項１１】
少なくとも、上記工程（ｃ）を経て得られたプラズモン励起センサ、レーザ光の光源、光学フィルタ、プリズム、カットフィルタ、集光レンズおよび表面プラズモン励起増強蛍光検出部を含み、請求項１に記載の工程（ｄ）に用いられることを特徴とする装置。
【請求項１２】
少なくとも、透明平面基板と上記金属薄膜と上記の誘電体からなるスペーサ層と上記蛍光色素層とを含むセンサ、上記酵素および消光剤基質を含み、請求項１〜１１のいずれかに記載のアッセイ法に用いられることを特徴とするキット。
【発明の詳細な説明】
【技術分野】
【０００１】
本発明は、表面プラズモンを利用したアッセイ法、該アッセイ用装置および該アッセイ用キットに関する。さらに詳しくは、本発明は、表面プラズモン励起増強蛍光分光法（ＳＰＦＳ；Ｓｕｒｆａｃｅ  Ｐｌａｓｍｏｎ−ｆｉｅｌｄ  ｅｎｈａｎｃｅｄ  Ｆｌｕｏｒｅｓｃｅｎｃｅ  Ｓｐｅｃｔｒｏｓｃｏｐｙ）の原理に基づき、表面プラズモンを利用したアッセイ法、該アッセイ用装置および該アッセイ用キットに関する。
【背景技術】
【０００２】
表面プラズモン励起増強蛍光分光法（ＳＰＦＳ）とは、照射したレーザ光が金薄膜表面で全反射減衰（ＡＴＲ）する条件において、金属薄膜表面に粗密波（表面プラズモン）を発生させることによって、照射したレーザ光が有するフォトン量を数十倍〜数百倍に増やし（表面プラズモンの電場増強効果）、これにより金薄膜近傍の蛍光色素を効率良く励起させることによって、極微量および／または極低濃度のアナライトを検出することができる方法である。
【０００３】
特許文献１では、センサ基板上でアポ酵素、ホロ酵素による反応と免疫反応とを複雑に組み合わせ、シグナル増幅および非特異反応低減を検討している。
【０００４】
しかしながら、このような測定系を成立させるためには、極めて精密な分子配向技術が前提となっていることから、免疫反応よりもアポ／ホロ酵素反応が優先的または支配的な場合、測定系そのものが成立しない危険性が高い。
【先行技術文献】
【特許文献】
【０００５】
【特許文献１】特開２００８−１３９２４５号公報
【発明の概要】
【発明が解決しようとする課題】
【０００６】
本発明は、高感度かつ高精度であり、イムノアッセイに必要不可欠である特異性に優れる表面プラズモンを利用したアッセイ法、アッセイ用装置ならびにアッセイ用キットを提供することを目的とする。
【課題を解決するための手段】
【０００７】
本発明者らは、上記の問題および従来のサンドイッチイムノアッセイ法（図１）が抱える問題、すなわち、極微量のアナライトを検出する場合、通常のサンドイッチイムノアッセイ法を行っても、コンジュゲート自体も理論的に極微量なため、しばしば増強電場に見合う蛍光プローブ量が存在せず、感度的に満足するものとはならないという問題を解決すべく鋭意研究した結果、従来のサンドイッチイムノアッセイ法（図１）と、表面プラズモン励起増強蛍光分析法とを組み合わせ、さらにセンサとアナライトとの結合の有無により蛍光を消光する機構を設ける、すなわち発光と消光との機能を分担することによって、極微量のアナライト（例えば、標的抗原）であってもフォトン量に見合った蛍光発光と特異性とを両立できることを見出し、本発明を完成するに至った。
【０００８】
すなわち、本発明のアッセイ法は、下記工程（ａ）〜（ｅ）を含むことを特徴とする。
【０００９】
工程（ａ）：透明平面基板と、該基板の一方の表面に形成された金属薄膜と、該金属薄膜の、該基板とは接していないもう一方の表面に形成された誘電体からなるスペーサ層と
、該スペーサ層の、該金属薄膜とは接していないもう一方の表面に形成された蛍光色素層と、該蛍光色素層の、該スペーサ層とは接していないもう一方の表面に固定化されたリガンドとを含むプラズモン励起センサに、検体を接触させる工程、
工程（ｂ）：該工程（ａ）を経て得られたプラズモン励起センサに、さらに、該プラズモン励起センサに含まれるリガンドとは同じであっても異なっていてもよいリガンドと酵素とのコンジュゲートを反応させる工程、
工程（ｃ）：該工程（ｂ）を経て得られたプラズモン励起センサに、消光剤基質を反応させ、消光剤が生成される工程、
工程（ｄ）：該工程（ｃ）を経て得られたプラズモン励起センサに、上記透明平面基板の、上記金属薄膜を形成していないもう一方の表面から、プリズムを経由してレーザ光を照射し、励起された蛍光色素から発光された蛍光量を測定する工程、および
工程（ｅ）：該工程（ｄ）で得られた測定結果から、検体中に含有されるアナライト量を算出する工程。
【００１０】
上記金属薄膜は、金、銀、アルミニウム、銅および白金からなる群から選ばれる少なくとも１種の金属から形成されていることが好ましく、該金属は、銀からなることが特に好ましい。
【００１１】
上記誘電体は、二酸化ケイ素（ＳｉＯ4）または二酸化チタン（ＴｉＯ2）を含むことが好ましい。
【００１２】
上記蛍光色素層は、上記スペーサ層の、上記金属薄膜とは接していないもう一方の表面に、蛍光色素とポリマーとを含有する組成物を塗工することによって形成されてもよく、または該蛍光色素層が、上記スペーサ層の、上記金属薄膜とは接していないもう一方の表面に、シランカップリング剤を介して結合することによって形成されてもよい。
【００１３】
上記リガンドは、腫瘍マーカーまたはがん胎児性抗原を認識し結合する１次抗体であってもよい。
【００１４】
上記検体は、血液、血清、血漿、尿、鼻孔液および唾液からなる群から選択される少なくとも１種の体液であることが好ましい。
【００１５】
上記酵素は、β−ガラクトシダーゼ、β−グルコシダーゼ、アルカリフォスファターゼまたはグルコースオキシダーゼであることが好ましい。
【００１６】
上記アナライトに、上記コンジュゲートが結合することができる。
【００１７】
本発明の装置は、少なくとも、上記工程（ｃ）を経て得られたプラズモン励起センサ、レーザ光の光源、光学フィルタ、プリズム、カットフィルタ、集光レンズおよび表面プラズモン励起増強蛍光検出部を含み、上記工程（ｄ）に用いられることを特徴とする。
【００１８】
本発明のキットは、少なくとも、透明平面基板と上記金属薄膜と上記の誘電体からなるスペーサ層と上記蛍光色素層とを含むセンサ、上記酵素および消光剤基質を含み、上記アッセイ法に用いられることを特徴とする。
【発明の効果】
【００１９】
従来、極微量のアナライトを測定する超高感度な系において、表面プラズモンの電場増強（電場増強フォトン量の例）と微量な蛍光色素量（蛍光フォトン量の例）のミスマッチが起こり感度の限界が生じる。
【００２０】
それに対して、本発明のアッセイ法は、１リットル当り１０-18モル（１ａｍｏｌ/Ｌ）〜１０-12モル（１ｐｍｏｌ/Ｌ）レベルの濃度のアナライト（例えば、標的抗原）を含む検体から、高感度かつ高精度で該アナライトを検出できるプラズモン励起センサを提供することができる。
【００２１】
また、微量のアナライトを検出する際、従来のサンドイッチイムノアッセイ法では蛍光信号（蛍光シグナル）量が少なくシグナル変化量が劣化するが、本発明は、プラズモン励起センサ、およびリガンド（例えば、２次抗体）と消光剤を活性化する酵素とのコンジュゲートを用いて本発明のアッセイ法に適用した場合、標的抗原量と比例するのが消光剤であるためシグナル変化量が劣化しないプラズモン励起センサを提供することができる。
【００２２】
また、本発明は、消光剤の能力次第で蛍光信号量を調整できるため、本発明のアッセイ法が最適なシグナル変化量で実施可能なプラズモン励起センサを提供することができる。
【図面の簡単な説明】
【００２３】
【図１】図１は、従来のサンドイッチイムノアッセイ法を模式的に示す図である。
【図２】図２は、本発明のアッセイ法の一態様（酵素は（Ａ）の場合である。）を模式的に示す図である。
【図３】図３は、それぞれ実施例１，２および比較例１，２で得られたブランクシグナルおよびアッセイシグナルをグラフにしてまとめた図である。
【発明を実施するための形態】
【００２４】
次に本発明について具体的に説明する。
【００２５】
＜アッセイ法＞
本発明のアッセイ法は、下記工程（ａ）〜（ｅ）を含むことを特徴とするものである。
【００２６】
工程（ａ）：透明平面基板と、該基板の一方の表面に形成された金属薄膜と、該金属薄膜の、該基板とは接していないもう一方の表面に形成された誘電体からなるスペーサ層と、該スペーサ層の、該金属薄膜とは接していないもう一方の表面に形成された蛍光色素層と、該蛍光色素層の、該スペーサ層とは接していないもう一方の表面に固定化されたリガンドとを含むプラズモン励起センサに、検体を接触させる工程、
工程（ｂ）：該工程（ａ）を経て得られたプラズモン励起センサに、さらに、該プラズモン励起センサに含まれるリガンドとは同じであっても異なっていてもよいリガンドと酵素とのコンジュゲートを反応させる工程、
工程（ｃ）：該工程（ｂ）を経て得られたプラズモン励起センサに、消光剤基質を反応させ、消光剤が生成される工程、
工程（ｄ）：該工程（ｃ）を経て得られたプラズモン励起センサに、上記透明平面基板の、上記金属薄膜を形成していないもう一方の表面から、プリズムを経由してレーザ光を照射し、励起された蛍光色素から発光された蛍光量を測定する工程、および
工程（ｅ）：該工程（ｄ）で得られた測定結果から、検体中に含有されるアナライト量を算出する工程。
【００２７】
本発明のアッセイ法は、さらに洗浄工程を適宜含むことが好ましい。
【００２８】
また、本発明のアッセイ法は、一定の温度を保ちながら実施することが好ましい。
【００２９】
［工程（ａ）］
工程（ａ）とは、「透明平面基板」と、該基板の一方の表面に形成された「金属薄膜」と、該金属薄膜の、該基板とは接していないもう一方の表面に形成された「誘電体からな
るスペーサ層」と、該スペーサ層の、該金属薄膜とは接していないもう一方の表面に形成された「蛍光色素層」と、該蛍光色素層の、該スペーサ層とは接していないもう一方の表面に固定化された「リガンド」とを含む“プラズモン励起センサ”に、「検体」を「接触」させる工程である。
【００３０】
（透明平面基板）
本発明で用いられる透明平面基板としては、ガラス製であっても、ポリカーボネート（ＰＣ）、シクロオレフィンポリマー（ＣＯＰ）などのプラスチック製であってもよく、屈折率〔ｎｄ〕が好ましくは１．４０〜２．２０であり、厚さが好ましくは０．０１〜１０ｍｍ、より好ましくは０．５〜５ｍｍであれば、大きさ（縦×横）は特に限定されない。
【００３１】
なお、ガラス製の透明平面基板は、市販品として、ＳＣＨＯＴＴ  ＡＧ社製のＢＫ７（屈折率〔ｎｄ〕１.５２）およびＬａＳＦＮ９（屈折率〔ｎｄ〕1.８５）、（株）住田光
学ガラス製のＫ−ＰＳＦｎ３（屈折率〔ｎｄ〕１．８４）、Ｋ−ＬａＳＦｎ１７（屈折率〔ｎｄ〕１．８８）およびＫ−ＬａＳＦｎ２２（屈折率〔ｎｄ〕１．９０）、（株）オハラ製のＳ−ＬＡＬ１０（屈折率〔ｎｄ〕１．７２）などが光学的特性と洗浄性との観点から好ましい。
【００３２】
透明平面基板は、その表面に金属薄膜を形成する前に、その表面を酸および／またはプラズマにより洗浄することが好ましい。
【００３３】
酸による洗浄処理としては、０．００１〜１Ｎの塩酸中に、１〜３時間浸漬することが好ましい。
【００３４】
プラズマによる洗浄処理としては、例えば、プラズマドライクリーナー（ヤマト科学（株）製のＰＤＣ２００）中に、０．１〜３０分間浸漬させる方法が挙げられる。
【００３５】
（金属薄膜）
上記「透明平面基板」の一方の表面に形成された金属薄膜としては、好ましくは、金、銀、アルミニウム、銅、および白金からなる群から選ばれる少なくとも１種の金属からなり、より好ましくは銀からなることが望ましく、これら金属の合金であってもよい。このような金属種は、酸化に対して安定であり、かつ表面プラズモンによる電場増強が大きくなることから好適である。
【００３６】
なお、上記「透明平面基板」としてガラス製平面基板を用いる場合に限り、ガラスと上記金属薄膜とをより強固に接着することができることから、あらかじめクロム、ニッケルクロム合金またはチタンの薄膜を形成することが好ましい。
【００３７】
透明平面基板上に金属薄膜を形成する方法としては、例えば、スパッタリング法、蒸着法（抵抗加熱蒸着法、電子線蒸着法等）、電解メッキ、無電解メッキ法などが挙げられる。薄膜形成条件の調整が容易なことから、スパッタリング法または蒸着法によりクロムの薄膜および／または金属薄膜を形成することが好ましい。
【００３８】
金属薄膜の厚さとしては、金：５〜５００ｎｍ、銀：５〜５００ｎｍ、アルミニウム：５〜５００ｎｍ、銅：５〜５００ｎｍ、白金：５〜５００ｎｍ、およびそれらの合金：５〜５００ｎｍが好ましく、クロムの薄膜の厚さとしては、１〜２０ｎｍが好ましい。
【００３９】
電場増強効果の観点から、金：２０〜７０ｎｍ、銀：２０〜７０ｎｍ、アルミニウム：１０〜５０ｎｍ、銅：２０〜７０ｎｍ、白金：２０〜７０ｎｍ、およびそれらの合金：１０〜７０ｎｍがより好ましく、クロムの薄膜の厚さとしては、１〜３ｎｍがより好ましい
。
【００４０】
金属薄膜の厚さが上記範囲内であると、表面プラズモンが発生し易いので好適である。また、このような厚さを有する金属薄膜であれば、大きさ（縦×横）は特に限定されない。
【００４１】
（誘電体からなるスペーサ層）
「誘電体からなるスペーサ層」は、上記「金属薄膜」による蛍光色素の金属消光を防止することを目的として、該金属薄膜の、上記「透明平面基板」と接していないもう一方の表面に形成したものであって、該誘電体としては、光学的に透明な各種無機物、天然または合成ポリマーを用いることもできるが、化学的安定性、製造安定性および光学的透明性に優れていることから二酸化ケイ素（ＳｉＯ2）または二酸化チタン（ＴｉＯ2）を含むことが好ましい。
【００４２】
該スペーサ層の厚さは、通常１０ｎｍ〜１ｍｍであり、共鳴角安定性の観点からは、３０ｎｍ以下が好ましく、１０〜２０ｎｍがより好ましい。また、電場増強の観点からは、２００ｎｍ〜１ｍｍが好ましく、電場増強効果の安定性の観点からは、４００〜１,６０
０ｎｍが好ましい。本発明のプラズモン励起センサが、今後、大量生産される際、該センサが有するスペーサ層の厚さが変動することが想定され、特に４００ｎｍ以上の厚さを有すると共鳴角の変動が一層大きくなる可能性があるため、測定の安定性を確保する目的から、該スペーサ層の厚さとして、特に１０〜２０ｎｍが好ましい。
【００４３】
該スペーサ層の形成方法としては、例えば、スパッタリング法、電子線蒸着法、熱蒸着法、ポリシラザン等の材料を用いた化学反応による形成方法、またはスピンコータによる塗布などが挙げられる。
【００４４】
（蛍光色素層）
「蛍光色素層」とは、上記「スペーサ層」の、上記「金属薄膜」とは接していないもう一方の表面に、蛍光色素を固定化した層であって、（Ａ）蛍光色素とポリマーとを含有する組成物を該スペーサ層上に塗工することによって形成することもでき、（Ｂ）シランカップリング剤を介して、蛍光色素を該スペーサ層上に結合することによって形成することもできる。
【００４５】
（Ａ）の場合、蛍光色素とポリマーとは化学的結合をしていても、していなくてもよく、また（Ａ’）重合性基を有するシランカップリング剤を上記スペーサ層に結合させて、他の重合性モノマー、蛍光色素および重合開始剤を加えて共重合させることにより蛍光色素とポリマーとを含有する組成物を形成することもできる。
【００４６】
（Ｂ）の場合、アミノ基またはカルボキシル基を有するシランカップリング剤と、それらの基と反応して共有結合する基を有するリガンドとを結合することによって、蛍光色素を上記スペーサ層に固定化することができる。
【００４７】
このように、蛍光色素とポリマーとを含有してなる層を形成する（Ａ）の場合は、固定化できる蛍光色素量が多く、得られる層の強度が高いことから好ましい。
【００４８】
「蛍光色素」とは、本発明において、所定の励起光を照射する、または電界効果を利用して励起することによって蛍光を発光する物質の総称であり、該「蛍光」は、燐光など各種の発光も含む。
【００４９】
本発明で用いられる「蛍光色素」としては、例えば、テルビウム（Ｔｂ）キレート（蛍
光波長：４９０ｎｍ）、強化シアン蛍光タンパク質（ＥＣＦＰ）（蛍光波長：４７５ｎｍ）、下記式で表される２−Ｍｅ−４−ＯＭｅ  ＴＧ、２−ＯＭｅ−５−Ｍｅ  ＴＧ、２−ＯＭｅ  ＴＧなどが挙げられる。
【００５０】
【化１】
2010181322.tif 000002
【００５１】
このような蛍光色素は、水溶性が高いものが多く、これら蛍光色素を蛍光色素層としてポリマー中に分子間相互作用で固定化するためには、蛍光色素が有するカルボキシル基に、疎水性の芳香族環が有するアミノ基やアルコールを反応させて水に不溶性の構造にするか、または疎水性ポリマーと蛍光色素の活性エステルとの反応によって化学的に結合する必要がある。ポリマーと蛍光色素とが化学的な結合を有しない場合、ポリマーの溶解パラメータ（Ｓｏｌｕｂｉｌｉｔｙ  Ｐａｒａｍｅｔｅｒ；ＳＰ）に近い構造となるように蛍光色素を修飾することが好ましい。
【００５２】
これら蛍光色素は１種単独でも、２種以上併用してもよい。
【００５３】
「ポリマー」としては、例えば、ポリアクリレート、ポリメタクリレート、ポリスチレン-アクリレート、ポリスチレン、ポリビニルブチラール、ポリエステルなどが挙げられ
る。これらのうち、ポリアクリレートおよびポリメタクリレート、ポリスチレン、ポリビニルブチラールは、蛍光色素との相溶性に優れ、非特異的な吸着（例えば、蛋白質（アルブミン、フィブリノーゲン、免疫グロブリン）、脂質、糖類（グルコース））を抑制することができるため好適である。
【００５４】
「組成物」は、蛍光色素およびポリマー以外に、溶媒、必要に応じて酸化防止剤などの添加剤も含有することができる。
【００５５】
「溶媒」としては、揮発性が高ければ特に限定されず、例えば、含ハロゲン系炭化水素類（例えば、ジクロロメタン、ジクロロエタン、テトラフルオロプロパン等）、アルコール類（例えば、メタノール、エタノール、プロパノール、ブタノール、ターシャリブタノール、テトラフルオロプロパノール）、芳香族類（例えば、トルエン、キシレン等）、エーテル類（例えば、ジエチルエーテル、ジエチレングリコールモノメチルエーテル等）、エステル類（例えば、酢酸エチル、酢酸ブチル等）、グリコール類（例えば、エチレングリコール等）、ケトン類（アセトン、メチルエチルケトン等）などが挙げられる。これらのうち、用いられるポリマーの溶解安定性の観点から、芳香族類、含ハロゲン系炭化水素類、エステル類、ケトン類が好ましい。
【００５６】
「酸化防止剤」としては、例えば、ペンタエリスリチルテトラキス［３−(３，５−ジ
−ｔ−ブチル−４−ヒドロキシフェニル)］プロピオネート、２，６−ジ−ｔ−ブチル−
４−メチルフェノール、２，２’−ジオキシ−３，３’−ジ−ｔ−ブチル−５，５’−ジメチルジフェニルメタン、テトラキス［メチレン−３−（３，５−ジ−ｔ−ブチル−４−ヒドロキシフェニル）プロピオネート］メタンなどが挙げられる。
【００５７】
組成物の総量（１００重量％）に対して、蛍光色素は１〜７５重量％が好ましく、３０〜７０重量％がより好ましく、ポリマーは２５〜９９重量％が好ましく、７０〜３０重量％がより好ましい。蛍光色素およびポリマーが上記含有量であると、消光の効率が良好である。
【００５８】
また、溶媒は、組成物１００重量部に対して、１００〜１,０００重量部が好ましく、
１００〜５００重量部がより好ましい。添加剤は、組成物１００重量部に対して、０．１〜１０重量部が好ましく、１〜５重量部がより好ましい。溶媒または添加剤が上記配合量であると、塗布性が良く、蛍光量子収率の低下を起さないため好適である。
【００５９】
「塗工」する方法としては、特に限定されないが、例えば、スピンコート法、ワイヤーコート法、バーコート法、ロールコート法、ブレードコート法、カーテンコート法、スクリーン印刷法などで塗布後、通常２０〜１００℃で、５〜３０分間乾燥させる。
【００６０】
（リガンド）
リガンドとは、検体中に含有されるアナライトを特異的に認識し（または、認識され）結合し得る分子または分子断片であって、このような「分子」または「分子断片」としては、例えば、核酸（一本鎖であっても二本鎖であってもよいＤＮＡ、ＲＮＡ、ポリヌクレオチド、オリゴヌクレオチド、ＰＮＡ（ペプチド核酸）等、またはヌクレオシド、ヌクレオチドおよびそれらの修飾分子）、タンパク質（ポリペプチド、オリゴペプチド等）、アミノ酸（修飾アミノ酸も含む。）、糖質（オリゴ糖、多糖類、糖鎖等）、脂質、またはこれらの修飾分子、複合体などであれば、特に限定されない。
【００６１】
「タンパク質」としては、例えば、抗体などが挙げられ、具体的には、抗αフェトプロテイン（ＡＦＰ）モノクローナル抗体（（株）日本医学臨床検査研究所などから入手可能）、抗ガン胎児性抗原（ＣＥＡ）モノクローナル抗体、抗ＣＡ１９−９モノクローナル抗体、抗ＰＳＡモノクローナル抗体などが挙げられる。
【００６２】
なお、本発明において、「抗体」という用語は、ポリクローナル抗体またはモノクローナル抗体、遺伝子組換えにより得られる抗体、および抗体断片を包含する。
【００６３】
リガンドの固定化方法としては、上記（Ａ）の場合、ポリマーが有する水酸基、アミノ基、カルボキシル基、イソシアネート基等の官能基（好ましくは、水酸基、アミノ基およびカルボキシル基）とリガンドが有する官能基（免疫反応促進能や非特異吸着反応抑制能を勘案し、ポリマーが有する官能基と適宜組み合わせることが好ましい。）とで反応させて化学結合を形成する方法、または２感応性反応基を有する化合物（例えば、シランカップリング剤など）を介して上記蛍光色素層に固定化する方法が挙げられる。
【００６４】
２感応性反応基を有するシランカップリング剤としては、加水分解でシラノール基（Ｓｉ-ＯＨ）を与えるエトキシ基（またはメトキシ基）を有し、他端にアミノ基やグリシジ
ル基、カルボキシル基などの反応基を有するシランカップリング剤であれば特に限定されず、従来公知のシランカップリング剤を用いることができる。
【００６５】
「２感応性反応基を有するシランカップリング剤」以外に、リガンドの固定化能に優れることから、例えば、カルボキシメチルデキストラン、ポリエチレングリコール、イミノジ酢酸誘導体（（Ｎ−５−ａｍｉｎｏ−１−ｃａｒｂｏｘｙｐｅｎｔｙｌ）ｉｍｉｎｏｄ
ｉａｃｅｔｉｃ  ａｃｉｄ等）、ビオチン、アビジン、ストレプトアビジン、プロテインＡ、プロテインＧなども好適である。
【００６６】
（Ａ）のうち、２感応性反応基を有する化合物としてシランカップリング剤を用いる場合、リガンドの固定化方法の具体例として、まず金薄薄膜、誘電体からなるスペーサ層および蛍光色素層が、その一方の表面に順に形成された透明平面基板を、シランカップリング剤を通常０．１〜１０％、好ましくは０．５％の濃度で含む水溶液に、３０分〜２時間浸漬後、室温の場合、通常１〜２４時間、好ましくは１０時間、１００℃の場合、通常１０分〜１時間、好ましくは３０分の乾燥を行い、この後、通常、上記基板を水で洗浄する。この時点で、シランカップリング剤の一方の末端が加水分解して得られたシラノール基（Ｓｉ−ＯＨ）を蛍光色素層側にして並べた単分子膜が形成されている。シランカップリング剤からなる単分子膜の外側には、シランカップリング剤が有するアミノ基やカルボキシル基が露出している状態となっている。
【００６７】
次に、リガンドが有するカルボキシル基を、水溶性カルボジイミド（ＷＳＣ）（例えば、１−エチル−３−（３−ジメチルアミノプロピル）カルボジイミド塩酸塩（ＥＤＣ）など）とＮ−ヒドロキシコハク酸イミド（ＮＨＳ）とにより活性エステル化し、このように活性エステル化したカルボキシル基と、上記シランカップリング剤が有するアミノ基とを水溶性カルボジイミドを用いて脱水反応させ固定化させる。
【００６８】
その他の好ましい方法の具体例としては、蛍光色素層内のポリマーのカルボキシル基を水溶性カルボジイミド（ＷＳＣ）（例えば、１−エチル−３−（３−ジメチルアミノプロピル）カルボジイミド塩酸塩（ＥＤＣ）など）とＮ−ヒドロキシコハク酸イミド（ＮＨＳ）とにより活性エステル化し、上記リガンドが有するアミノ基とを水溶性カルボジイミドを用いて脱水反応させ固定化させる。
【００６９】
リガンドの固定化方法として、上記（Ｂ）の場合、リガンド（例えば、１次抗体など）を蛍光色素層に物理吸着で固定化する方法が挙げられる。
【００７０】
（検体）
「検体」としては、例えば、血液（血清・血漿）、尿、鼻孔液、唾液、便、体腔液（髄液、腹水、胸水等）などが挙げられ、所望の溶媒、緩衝液等に適宜希釈して用いてもよい。これら検体のうち、血液、血清、血漿、尿、鼻孔液および唾液が好ましい。
【００７１】
（接触）
「接触」は、流路中に循環する送液に検体が含まれ、プラズモン励起センサの蛍光色素およびリガンドが固定化されている片面のみが該送液中に浸漬されている状態において、プラズモン励起センサと検体とを接触させる態様が好ましい。
【００７２】
上記「流路」とは、微量な薬液の送達を効率的に行うことができ、反応促進を行うために送液速度を変化させたり、循環させたりすることができる直方体または管状のものであって、プラズモン励起センサを設置する個所近傍は直方体構造を有することが好ましく、薬液を送達する個所近傍は管状を有することが好ましい。
【００７３】
その材料としては、プラズモン励起センサ部ではメチルメタクリレート、スチレン等を原料として含有するホモポリマーまたは共重合体；ポリエチレン等のポリオレフィンなどからなり、薬液送達部ではシリコンゴム、テフロン（登録商標）、ポリエチレン、ポリプロピレン等のポリマーを用いる。
【００７４】
プラズモン励起センサ部においては、検体との接触効率を高め、拡散距離を短くする観
点から、プラズモン励起センサ部の流路の断面として、縦×横がそれぞれ独立に１００ｎｍ〜１ｍｍ程度が好ましい。
【００７５】
流路にプラズモン励起センサを固定する方法としては、小規模ロット（実験室レベル）では、まず、該プラズモン励起センサの金属薄膜が形成されている表面に、流路高さ０．５ｍｍを有するポリジメチルシロキサン（ＰＤＭＳ）製シートを該プラズモン励起センサの金属薄膜が形成されている部位を囲むようにして圧着し、次に、該ポリジメチルシロキサン（ＰＤＭＳ）製シートと該プラズモン励起センサとをビス等の閉め具により固定する方法が好ましい。
【００７６】
工業的に製造される大ロット（工場レベル）では、流路にプラズモン励起センサを固定する方法としては、プラスチックの一体成形品に銀基板を形成、または別途作製した銀基板を固定し、金表面に誘電体層、蛍光色素層およびリガンド固定化を行った後、流路の天板に相当するプラスチックの一体成形品により蓋をすることで製造できる。必要に応じてプリズムを流路に一体化することもできる。
【００７７】
このような「送液」としては、検体を希釈した溶媒または緩衝液と同じものが好ましく、例えば、リン酸緩衝生理食塩水（ＰＢＳ）、トリス緩衝生理食塩水（ＴＢＳ）、Ｈｅｐｅｓ緩衝生理食塩水（ＨＢＳ）などが挙げられるが、特に限定されるものではない。
【００７８】
送液を循環させる温度および時間としては、検体の種類などにより異なり、特に限定されるものではないが、通常２０〜４０℃×１〜６０分間、好ましくは３７℃×５〜１５分間である。
【００７９】
送液中の検体中に含有されるアナライトの初期濃度は、１００μｇ／ｍＬ〜０．００１ｐｇ／ｍＬであってもよい。
【００８０】
送液の総量、すなわち流路の容積としては、通常０．００１〜２０ｍＬ、好ましくは０．１〜１ｍＬである。
【００８１】
送液の流速は、通常１〜２,０００μＬ／ｍｉｎ、好ましくは５〜５００μＬ／ｍｉｎ
である。
【００８２】
（洗浄工程）
洗浄工程とは、下記工程（ｂ）の前および／または後に含まれることが好ましく、上記工程（ａ）を経て得られたプラズモン励起センサの表面および／または下記工程（ｂ）を経て得られたプラズモン励起センサの表面を洗浄する工程である。
【００８３】
洗浄工程に使用される洗浄液としては、例えば、工程（ａ）および（ｂ）の反応で用いたものと同じ溶媒または緩衝液にＴｗｅｅｎ２０、ＴｒｉｔｏｎＸ１００などの界面活性剤を溶解させ、好ましくは０．００００１〜１重量％含有するもの、または塩化ナトリウムや塩化カリウムなどの塩を１５０〜５００ｍＭ含有するものが望ましい。あるいは、低ｐＨの緩衝液、例えば１０ｍＭ  Ｇｌｙｃｉｎｅ  ＨＣｌでｐＨが１．５〜４．０のものであってもよい。
【００８４】
洗浄液を循環させる温度および流速は、上記工程（ａ）の「送液を循環させる温度および流速」と同じであることが好ましい。
【００８５】
洗浄液を循環させる時間は、通常０．５〜１８０分間、好ましくは５〜６０分間である。
【００８６】
［工程（ｂ）］
工程（ｂ）とは、上記工程（ａ）、好ましくは上記洗浄工程を経て得られたプラズモン励起センサに、さらに、「該プラズモン励起センサに含まれるリガンドとは同じであっても異なっていてもよいリガンドと酵素とのコンジュゲート」を反応させる工程である。
【００８７】
（酵素）
「酵素」は、（Ａ）保護基によってブロックされている下記「消光剤基質」を、酵素反応によって消光剤を活性化したり、（Ｂ）後述する特定の「消光剤基質」を用いた酵素反応によって活性化した消光剤によりｐＨを低下させたりするために用いられる。
【００８８】
（Ａ）の酵素反応に用いる「酵素」としては、例えば、β−ガラクトシダーゼ、β−グルコシダーゼ、アルカリフォスファターゼなどが挙げられる。
【００８９】
β−ガラクトシダーゼは、消光剤基質としてＴＧ−βＧａｌからβＧａｌを脱離させる反応を触媒する。また、β−グルコシダーゼは、消光剤基質としてＴＧ−βＧｌｕからβＧｌｕを脱離させる反応を触媒する。なお、遊離のＴＧは励起波長が４９０ｎｍであり、蛍光波長が４７５〜４９５ｎｍである蛍光色素とＦｌｕｏｒｅｓｃｅｎｃｅ  Ｒｅｓｏｎａｎｃｅ  Ｅｎｅｒｇｙ  Ｔｒａｎｓｆｅｒ（ＦＲＥＴ；蛍光共鳴エネルギー移動）を起すので、テルビウム（Ｔｂ）キレートの蛍光（蛍光波長：４９５ｎｍ）または強化シアン蛍光タンパク質（Ｅｎｈａｎｃｅｄ  Ｃｙａｎ  Ｆｌｕｏｒｅｓｃｅｎｃｅ  Ｐｒｏｔｅｉｎ；ＥＣＦＰ）（蛍光波長：４７５ｎｍ）などの蛍光を消光することができる。
【００９０】
アルカリフォスファターゼは、ＡｔｔｏＰｈｏｓ（登録商標）基質を加水分解する反応を触媒し、蛍光物質であるＢＢＴ（２’−［２−ｂｅｎｚｔｈｉａｚｏｙｌ］−６’−ｈｙｄｒｏｘｙｌ−ｂｅｎｚｔｈｉａｚｏｌｅ）を生成させる。ここで、生成した励起波長４８２ｎｍの蛍光物質は、上述のＴＧと同様、テルビウム（Ｔｂ）キレートまたはＥＣＦＰとＦＲＥＴを起し、それぞれ消光することができる。
【００９１】
（Ｂ）の酵素反応に用いる「酵素」としては、例えば、グルコースオキシダーゼなどが挙げられる。
【００９２】
グルコースオキシダーゼは、グルコースを消光剤基質とする酵素反応により、グルコノラクトンと過酸化水素とを生成する。なお、水分に溶解した過酸化水素によってその水分のｐＨが低下するにともない、蛍光色素として用いている２−Ｍｅ−４−ＯＭｅ  ＴＧ、２−ＯＭｅ−５−Ｍｅ  ＴＧまたは２−ＯＭｅ  ＴＧなどの蛍光強度が小さくなる。
【００９３】
（Ａ）、（Ｂ）ともに、これらの酵素は１種単独で用いることもでき、また２種以上併用することもできる。
【００９４】
（プラズモン励起センサに含まれるリガンドとは同じであっても異なっていてもよいリガンドと酵素とのコンジュゲート）
「プラズモン励起センサに含まれるリガンドとは同じであっても異なっていてもよいリガンドと酵素とのコンジュゲート」とは、上記「酵素」により標識されたリガンドであって、該リガンドは、上記「リガンド」と同じであっても異なっていてもよい。
【００９５】
「プラズモン励起センサに含まれるリガンドとは同じであっても異なっていてもよいリガンドと酵素とのコンジュゲート」の作製方法としては、例えば、まず酵素が有するカルボキシル基を、水溶性カルボジイミド（ＷＳＣ）（例えば、１−エチル−３−（３−ジメチルアミノプロピル）カルボジイミド塩酸塩（ＥＤＣ）など）とＮ−ヒドロキシコハク酸
イミド（ＮＨＳ）とにより活性エステル化し、次いで活性エステル化したカルボキシル基とリガンドが有するアミノ基とを水溶性カルボジイミドを用いて脱水反応させ固定化させる方法；イソチオシアネートおよびアミノ基をそれぞれ有するリガンドおよび酵素を反応させ固定化する方法；スルホニルハライドおよびアミノ基をそれぞれ有するリガンドおよび酵素を反応させ固定化する方法；ヨードアセトアミドおよびチオール基をそれぞれ有するリガンドおよび酵素を反応させ固定化する方法；ビオチン化された酵素とストレプトアビジン化されたリガンドとを反応させ固定化する方法などが挙げられる。
【００９６】
このように作製された「プラズモン励起センサに含まれるリガンドとは同じであっても異なっていてもよいリガンドと酵素とのコンジュゲート」の送液中の濃度は、０.００１
〜１０,０００μｇ／ｍＬが好ましく、１〜１,０００）μｇ／ｍＬがより好ましい。
【００９７】
送液を循環させる温度、時間および流速は、それぞれ上記工程（ａ）の場合と同様である。
【００９８】
［工程（ｃ）］
工程（ｃ）とは、上記工程（ｂ）、好ましくは上記洗浄工程を経て得られたプラズモン励起センサに、消光剤基質を反応させる工程である。
【００９９】
（消光剤基質）
消光剤基質としては、上述したように、例えば、ＴＧ−βＧａｌ、ＴＧ−βＧｌｕ、ＡｔｔｏＰｈｏｓ（登録商標）基質、グルコースなどが挙げられる。
【０１００】
（Ａ）の消光剤基質として、ＴＧ−βＧａｌおよびＴＧ−βＧｌｕは、蛍光色素であるＴｏｋｙｏＧｒｅｅｎ（ＴＧ）に、保護基としてそれぞれβ−ガラクトースおよびβ−グルコース１分子が付加されており、この状態では蛍光はほとんど観察されないが、β−ガラクトシダーゼおよびβ−グルコシダーゼにより保護基が脱離することによって強い蛍光を発するようになる。
【０１０１】
なお、ＴＧは、本発明において、下記式で表される２−Ｍｅ  ＴＧや、上述の２−Ｍｅ−４−ＯＭｅ  ＴＧなども包含する。
【０１０２】
【化２】
2010181322.tif 000003
【０１０３】
ＡｔｔｏＰｈｏｓ（登録商標）基質は、ｐＨ９．５の溶液中であっても基質はほとんど蛍光を発しないが、アルカリフォスファターゼによる酵素反応の結果、強い蛍光を発するようになる。
【０１０４】
（Ｂ）の消光剤基質としては、例えば、グルコースオキシダーゼの基質となるグルコースおよび酸素などが挙げられる。
【０１０５】
本発明において、酵素、消光剤基質、消光剤および蛍光色素の好ましい組み合わせとして、下表に示すものが挙げられる。
【０１０６】
【表１】
2010181322.tif 000004
【０１０７】
このような消光剤基質の送液中の濃度は、０.００１〜１０,０００μｇ／ｍＬが好ましく、１〜１,０００μｇ／ｍＬがより好ましい。
【０１０８】
送液を循環させる温度、時間および流速は、それぞれ上記工程（ａ）の場合と同様である。
【０１０９】
［工程（ｄ）］
工程（ｄ）とは、上記工程（ｃ）を経て得られたプラズモン励起センサに、上記透明平面基板の、上記金属薄膜を形成していないもう一方の表面から、プリズムを経由してレーザ光を照射し、励起された蛍光色素から発光された蛍光量を測定する工程である。
【０１１０】
レーザ光は、光学フィルタおよび偏光フィルタを通して、プリズムに入射する直前のエネルギーおよびフォトン量を調節することが望ましい。
【０１１１】
レーザ光の照射により、全反射減衰条件（ＡＴＲ）において、金属薄膜の表面に表面プラズモンが発生する。表面プラズモンの電場増強効果により、照射したフォトン量の数十〜数百倍に増えたフォトンにより蛍光色素を励起する。なお、該電場増強効果によるフォトン増加量は、基板となるガラスの屈折率、金属薄膜の金属種および膜厚に依存するが、通常、銀では約４０〜１００倍の増加量となる。
【０１１２】
蛍光色素は光吸収により分子内の電子が励起され、短時間のうちに第一電子励起状態に移動し、この状態（準位）から基底状態に戻る際、そのエネルギー差に相当する波長の蛍光を発する。
【０１１３】
「レーザ光」としては、波長２００〜９００ｎｍ、０．００１〜１，０００ｍＷのＬＤレーザ、または波長２３０〜８００ｎｍ、０．０１〜１００ｍＷの半導体レーザが好ましい。
【０１１４】
「プリズム」は、各種フィルタを介したレーザ光が、プラズモン励起センサに効率よく入射することを目的としており、屈折率が上記「透明平面基板」と同じであることが好ましい。本発明は、全反射条件を設定できる各種プリズムを適宜選択することができることから、角度、形状に特に制限はなく、例えば、６０度分散プリズムなどであってもよい。このようなプリズムの市販品としては、上述した「ガラス製の透明平面基板」の市販品と同様のものが挙げられる。
【０１１５】
「光学フィルタ」としては、例えば、減光（ＮＤ）フィルタ、ダイアフラムレンズなど
が挙げられる。
【０１１６】
「減光（ＮＤ）フィルタ」（または、中性濃度フィルタ）は、入射レーザ光量を調節することを目的とするものである。特に、ダイナミックレンジの狭い検出器を使用するときには精度の高い測定を実施する上で用いることが好ましい。
【０１１７】
「偏光フィルタ」は、レーザ光を、表面プラズモンを効率よく発生させるＰ偏光とするために用いられるものである。
【０１１８】
「カットフィルタ」は、外光（装置外の照明光）、励起光（励起光の透過成分）、迷光（各所での励起光の散乱成分）、プラズモンの散乱光（励起光を起源とし、プラズモン励起センサ表面上の構造体または付着物などの影響で発生する散乱光）、酵素蛍光基質の自家蛍光、などの各種ノイズ光を除去するフィルタであって、例えば、干渉フィルタ、色フィルタなどが挙げられる。
【０１１９】
「集光レンズ」は、検出器に蛍光シグナルを効率よく集光することを目的とするものであり、任意の集光系でよい。簡易な集光系として、顕微鏡などで使用されている、市販の対物レンズ（（株）ニコン製またはオリンパス（株）製）を転用してもよい。対物レンズの倍率としては、１０〜１００倍が好ましい。
【０１２０】
「ＳＰＦＳ検出部」としては、超高感度の観点からは光電子増倍管（浜松ホトニクス（株）製のフォトマルチプライヤー）が好ましい。また、これらに比べると感度は下がるが、画像として見ることができ、かつノイズ光の除去が容易なことから、多点計測が可能なＣＣＤイメージセンサも好適である。
【０１２１】
［工程（ｅ）］
工程（ｅ）とは、上記工程（ｄ）で得られた測定結果から、検体中に含有される「アナライト」量を算出する工程である。
【０１２２】
より具体的には、工程（ｅ）は、既知濃度の標的抗原もしくは標的抗体での測定を実施することで検量線を作成し、作成された検量線に基づいて被測定検体中のアナライト（標的抗原量もしくは標的抗体）量を測定シグナルから算出する工程である。
【０１２３】
（アナライト）
「アナライト」としては、上記「蛍光色素層」に固定化されたリガンドに特異的に認識され（または、認識し）結合し得る分子または分子断片であって、このような「分子」または「分子断片」としては、例えば、核酸（一本鎖であっても二本鎖であってもよいＤＮＡ、ＲＮＡ、ポリヌクレオチド、オリゴヌクレオチド、ＰＮＡ（ペプチド核酸）等、またはヌクレオシド、ヌクレオチドおよびそれらの修飾分子）、タンパク質（ポリペプチド、オリゴペプチド等）、アミノ酸（修飾アミノ酸も含む。）、糖質（オリゴ糖、多糖類、糖鎖等）、脂質、またはこれらの修飾分子、複合体などが挙げられ、具体的には、ＡＦＰ（αフェトプロテイン）等のがん胎児性抗原や腫瘍マーカー、シグナル伝達物質、ホルモンなどであってもよく、特に限定されない。
【０１２４】
（アッセイシグナル変化量）
さらに、工程（ｅ）は、上記工程（ｄ）の前に測定したシグナルを“ブランクシグナル”、としたとき、下記式で表されるアッセイシグナル変化量を算出することができる。
【０１２５】
シグナル変化量＝｜（アッセイ蛍光シグナル）−（ブランク蛍光シグナル）｜
＜装置＞
本発明の装置は、少なくとも、上記工程（ｃ）を経て得られたプラズモン励起センサ、レーザ光の光源、光学フィルタ、プリズム、カットフィルタ、集光レンズおよび表面プラズモン励起増強蛍光検出部を含み、上記工程（ｄ）に用いられることを特徴とするものである。
【０１２６】
すなわち、本発明の装置は、上記プラズモン励起センサを用いて、本発明のアッセイ法を実施するためのものである。
【０１２７】
「装置」としては、少なくともレーザ光の光源、各種光学フィルタ、プリズム、カットフィルタ、集光レンズおよび表面プラズモン励起増強蛍光（ＳＰＦＳ）検出部を含むものとし、検体液、洗浄液または標識抗体液などを取り扱う際に、プラズモン励起センサと組み合った送液系を有することが好ましい。送液系としては、例えば、送液ポンプと連結したマイクロ流路デバイスなどでもよい。
【０１２８】
また、表面プラズモン共鳴（ＳＰＲ）検出部、すなわちＳＰＲ専用の受光センサとしてのフォトダイオード、ＳＰＲおよびＳＰＦＳの最適角度を調製するための角度可変部（サーボモータで全反射減衰（ＡＴＲ）条件を求めるためにフォトダイオードと光源とを同期して、４５〜８５°の角度変更を可能とする。分解能は０．０１°以上が好ましい。）、ＳＰＦＳ検出部に入力された情報を処理するためのコンピュータなども含んでもよい。
【０１２９】
光源、光学フィルタ、カットフィルタ、集光レンズおよびＳＰＦＳ検出部の好ましい態様は上述したものと同様である。
【０１３０】
「送液ポンプ」としては、例えば、送液が微量な場合に好適なマイクロポンプ、送り精度が高く脈動が少ないが循環することができないシリンジポンプ、簡易で取り扱い性に優れるが微量送液が困難な場合があるチューブポンプなどが挙げられる。
【０１３１】
＜キット＞
本発明のキットは、少なくとも、透明平面基板と上記金属薄膜と上記の誘電体からなるスペーサ層と上記蛍光色素層とを含むセンサ、上記酵素および消光剤基質を含み、本発明のアッセイ法に用いられることを特徴とするものであって、本発明のアッセイ法を実施するにあたり、１次抗体、抗原などのリガンド、検体および２次抗体以外に必要とされるすべてのものを含むことが好ましい。
【０１３２】
例えば、本発明のキットと、検体として血液、血漿または血清と、特定の腫瘍マーカーに対する抗体とを用いることによって、特定の腫瘍マーカーの含有量を、高感度かつ高精度で検出することができる。この結果から、触診などによって検出することができない前臨床期の非浸潤癌（上皮内癌）の存在も高精度で予測することができる。
【０１３３】
このような「キット」としては、具体的に、透明平面基板の一方の表面に金属薄膜を形成したプラズモン励起センサ；検体を溶解または希釈するための溶解液または希釈液；プラズモン励起センサと検体とを反応させるための各種反応試薬および洗浄試薬が挙げられ、本発明のアッセイ法を実施するために必要とされる各種器材または資材や上記「装置」を含めることもできる。
【０１３４】
さらに、キット要素として、検量線作成用の標準物質、説明書、多数検体の同時処理ができるマイクロタイタープレートなどの必要な器材一式などを含んでもよい。
【実施例】
【０１３５】
次に、本発明について実施例を示してさらに詳細に説明するが、本発明はこれらによっ
て限定されるものではない。
【０１３６】
［作製例１］（２次抗体とβ−ガラクトシダーゼとのコンジュゲートの作製）
β−ガラクトシダーゼを、抗αフェトプロテイン（ＡＦＰ）モノクローナル抗体（６Ｄ２、２．５ｍｇ／ｍＬ、（株）日本医学臨床検査研究所製）に固定化した。
【０１３７】
具体的には、酵素のカルボキシル基と抗体のアミノ基とをアミノカップリング法により固定化した。
【０１３８】
［作製例２］（２次抗体とグルコースオキシダーゼとのコンジュゲートの作製）
作製例１と同様の手順に従い、グルコースオキシダーゼを、抗αフェトプロテイン（ＡＦＰ）モノクローナル抗体（６Ｄ２、２．５ｍｇ／ｍＬ、（株）日本医学臨床検査研究所製）に固定化した。
【０１３９】
［作製例３］（２次抗体とダーククエンチャーとのコンジュゲートの作製）
作製例１と同様の手順に従い、ダーククエンチャーであるＥｃｌｉｐｓｅ（登録商標）（Ｅｐｏｃｈ  Ｂｉｏｓｃｉｅｎｃｅｓ社製）を、抗αフェトプロテイン（ＡＦＰ）モノクローナル抗体（６Ｄ２、２．５ｍｇ／ｍＬ、（株）日本医学臨床検査研究所製）に固定化した。
【０１４０】
［作製例４］（Ａｌｅｘａ  Ｆｌｕｏｒ（登録商標）６４７標識２次抗体の作製）
ビオチン化抗ＡＦＰモノクローナル抗体の溶液とストレプトアビジン標識Ａｌｅｘａ  Ｆｌｕｏｒ（登録商標）６４７（Ｍｏｌｅｃｕｌａｒ  Ｐｒｏｂｅｓ社製）溶液とを混合し、４℃で６０分間、攪拌混合することで反応させた。
【０１４１】
次に、未反応抗体および未反応酵素を、分子量カットフィルタ（日本ミリポア（株）製）を用いて精製することで、Ａｌｅｘａ  Ｆｌｕｏｒ（登録商標）６４７標識抗ＡＦＰモノクローナル抗体溶液を得た。得られた抗体溶液はタンパク定量後、４℃で保存した。
【０１４２】
［実施例１］
(プラズマ励起センサの作製)
屈折率〔ｎｄ〕１．５２、厚さ１ｍｍで外形が２０ｍｍ×２０ｍｍのガラス製の透明平面基板（ＳＣＨＯＴＴ  ＡＧ社製のＢＫ７）をプラズマ洗浄し、該基板の片面にクロム薄膜をスパッタリング法により形成した後、その表面にさら銀薄膜をスパッタリング法により形成した。クロム薄膜の厚さは１ｎｍ、銀薄膜の厚さは４５ｎｍであった。
【０１４３】
銀薄膜の、クロム薄膜とは接していない片面に対して、誘電体として二酸化ケイ素（ＳｉＯ2）からなるスペーサ層をスパッタリング法により形成した。該スペーサ層の厚さは
、１５ｎｍであった。
【０１４４】
該スペーサ層の、銀薄膜とは接していない片面に対して、蛍光色素としてテルビウム（Ｔｂ）キレート５重量部、ポリマーとして積水化学工業（株）製のＢＬ−Ｓ（ポリビニルブチラール）５重量部、および溶媒としてメチルエチルケトン２５重量部を含有する組成物をスピンコータ法により塗布し、暗所にて５０℃で１０分間乾燥させ、溶媒を揮散させた。得られた蛍光色素層の厚さは１０ｎｍであった。
【０１４５】
このようにして得られた基板の蛍光色素層の上に、３−アミノプロピルトリエトキシシランを５重量％含む水溶液をスピンコータで塗布し、室温で２時間自然乾燥させた後、５０℃で１０分間加熱した。
【０１４６】
蛍光色素層のシランカップリング剤処理を行った表面に、２ｍｍ×１０ｍｍの穴を有する、外形が２０ｍｍ×２０ｍｍ、厚さ０．５ｍｍのポリジメチルシロキサン（ＰＤＭＳ）製スペーサを設け、蛍光色素層表面が流路の内側となるように、基板を流路に配置した。そして、流路の外側から基板を覆うように厚さ４ｍｍでＰＤＭＳ製スペーサと同外形のポリメチルメタクリレート板を乗せ圧着し、ビスで流路と該ポリメチルメタクリレート板とを固定した。
【０１４７】
送液として超純水を１０分間、その後ＰＢＳを３０分間、ペリスタポンプにより、３０℃、流速５００μＬ／ｍｉｎで循環させた。送液の総量は１５ｍＬである。
【０１４８】
ここで、光源としてＬＤレーザを用いて、波長３４０ｎｍのレーザ光を照射し、光学フィルタとして減光フィルタ（中性濃度フィルタ）を用いてフォトン量を調節し、シグマ光機（株）製の６０度プリズムを通して、流路に固定されているリガンド固定化前のプラズモン励起センサに照射し、表面プラズモンの測定を開始した。
【０１４９】
さらに、Ｎ−ヒドロキシコハク酸イミド（ＮＨＳ）を５０ｍＭと、水溶性カルボジイミド（ＷＳＣ）を１００ｍＭとを含むＰＢＳを５ｍＬ添加し（終濃度はそれぞれＮＨＳ：５０ｍＭ、ＷＳＣ：１００ｍＭ）、２０分間循環させた後に、抗αフェトプロテイン（ＡＦＰ）モノクローナル抗体（１Ｄ５、２．５ｍｇ／ｍＬ、（株）日本医学臨床検査研究所製）４０μＬ、を２時間循環させて、プラズモン励起センサを作製した。
【０１５０】
表面プラズモンで共鳴角のシフトを測定し、リガンドの固定化を確認した。固定化量は３ｎｇ／ｍｍ2であった。
【０１５１】
また、１重量％の牛血清アルブミン（ＢＳＡ）を含むＰＢＳ緩衝生理食塩水にて３０分間循環送液することで、非特異吸着防止処理を行った。
【０１５２】
（アッセイ法の実施）
工程（ａ）：送液をＰＢＳに代え、ＡＦＰを１ｎｇ／ｍＬ含むＰＢＳを０．５ｍＬ添加し、２５分間循環させた。
【０１５３】
洗浄工程：Ｔｗｅｅｎ２０を０.０５重量％含むＴＢＳを送液として１０分間循環させ
ることによって洗浄した。ここでブランクの蛍光を、光源としてＬＤレーザを用いて、波長３４０ｎｍのレーザ光を、光学フィルタ：（シグマ光機（株））によりフォトン量を調節し、プリズム：（（株）オハラ製のＳ−ＬＡＬ１０（屈折率〔ｎ〕＝１．７２））を通して、流路に固定されているプラズモン励起センサに照射し、カットフィルタとして（シグマ光機（株））、集光レンズとして２０倍の対物レンズ（（株）ニコン製）を用いてＣＣＤイメージセンサ（テキサスインスツルメント（株）製）により検出した。
【０１５４】
工程（ｂ）：作製例１で得られたβ−ガラクトシダーゼ修飾二次抗体を１,０００ｎｇ
／ｍＬ含むＰＢＳを５ｍＬ添加し、２０分間循環させた。
【０１５５】
洗浄工程：Ｔｗｅｅｎ２０を０.０５重量％含むＴＢＳを送液として２０分間循環させ
ることによって洗浄した。
【０１５６】
工程（ｃ）：上記洗浄工程を経て得られたプラズモン励起センサに、ＴＢＳで調整した酵素消光基質溶液（ＴＧ−bＧａｌ）を導入し、反応させた。
【０１５７】
工程（ｄ）：該酵素消光基質溶液導入から２０分後のＣＣＤから観察したときのシグナル値を計測しアッセイシグナルとした。なお、ＡＦＰを０ｎｇ／ｍＬ時のＳＰＦＳ測定シ
グナルをブランクシグナルとした。
【０１５８】
工程（ｅ）：本発明のプラズモン励起センサにおけるアッセイシグナル変化量を以下の式で評価した。
【０１５９】
シグナル変化量＝｜（アッセイ蛍光シグナル）−（ブランクシグナル）｜
得られた結果を、表２および図３に示す。
【０１６０】
[実施例２]
(プラズマ励起センサの作製)
蛍光色素をテルビウムキレートの代わりに、２−Ｍｅ−４−ＯＭｅ  ＴＧを、さらに波長４９０ｎｍのレーザ光を用いた以外は、実施例１と同様の方法で行った。
【０１６１】
（アッセイ法の実施）
作成例２で得られたグルコースオキシダーゼ修飾2次抗体、酵素消光基質溶液としてグ
ルコースおよび酸素を、さらに波長４９０ｎｍのレーザ光を用いた以外は、実施例１と同様の方法で行った。
【０１６２】
得られた結果を、表２および図３に示す。
【０１６３】
［比較例１］
(プラズマ励起センサの作製)
実施例１と同様の方法でプラズマ励起センサを作製した。
【０１６４】
（アッセイ法の実施）
作製例３で得られたダーククエンチャー修飾２次抗体を用い、工程（ｃ）を行わなかった以外は、実施例１と同様の方法で行った。
【０１６５】
得られた結果を、表２および図３に示す。
【０１６６】
［比較例２］
(プラズマ励起センサの作製)
屈折率〔ｎｄ〕１．７２、厚さ１ｍｍのガラス製の透明平面基板（（株）オハラ製のＳ−ＬＡＬ  １０）をプラズマ洗浄し、該基板の片面にクロム薄膜をスパッタリング法により形成した後、その表面にさらに金薄膜をスパッタリング法により形成した。クロム薄膜の厚さは１〜３ｎｍ、金薄膜の厚さは４４〜５２ｎｍであった。
【０１６７】
このようにして得られた基板を、１０−カルボキシ−１−デカンチオールを１ｍＭ含むエタノール溶液に２４時間以上浸漬し、金薄膜の片面にＳＡＭ（Ｓｅｌｆ  Ａｓｓｅｍｂｌｅｄ  Ｍｏｎｏｌａｙｅｒ；自己組織化単分子膜）を形成した。基板を該溶液から取り出し、エタノールおよびイソプロパノールで洗浄した後、エアガンで乾燥させた。
【０１６８】
ＳＡＭの表面に、流路高さ０．５ｍｍを有するポリジメチルシロキサン（ＰＤＭＳ）製シートを設け、ＳＡＭ表面が流路の内側となるように基板を配置し（ただし、該シリコンゴムスペーサは送液に触れない状態とする。）、流路の外側から圧着し、ビスで流路シートと該プラズモン励起センサとを固定した。
【０１６９】
（アッセイ法の実施）
得られたプラズモン励起センサを流路に固定し、送液として超純水を１０分間、その後ＰＢＳを２０分間、ペリスタポンプにより、室温、流速５００μＬ／ｍｉｎで循環させ、
その表面を平衡化した。
【０１７０】
続いて、Ｎ−ヒドロキシコハク酸イミド（ＮＨＳ）を５０ｍＭと、水溶性カルボジイミド（ＷＳＣ）を１００ｍＭとを含むＰＢＳを５ｍＬ送液し、２０分間循環送液させた後に、抗αフェトプロテイン（ＡＦＰ）モノクローナル抗体（１Ｄ５、２．５ｍｇ／ｍＬ、（株）日本医学臨床検査研究所製）溶液２.５ｍＬを３０分間循環送液することで、ＳＡＭ
上に１次抗体を固相化した。なお、１重量％牛血清アルブミン（ＢＳＡ）を含むＰＢＳ緩衝生理食塩水にて３０分間循環送液することで、非特異的吸着防止処理を行った。
【０１７１】
送液をＰＢＳに代え、ＡＦＰを１ｎｇ／ｍＬ含むＰＢＳ溶液を０．５ｍＬ添加し、２５分間循環させた。
【０１７２】
Ｔｗｅｅｎ２０を０.０５重量％含むＴＢＳを送液として１０分間循環させることによ
って洗浄した。
【０１７３】
作製例４で作製したＡｌｅｘａ  Ｆｌｕｏｒ（登録商標）６４７を標識した２次抗体（１,０００ｎｇ／ｍＬとなるように調製したＰＢＳ溶液）を２．５ｍＬ添加し、２０分間
循環させた。
【０１７４】
その後、Ｔｗｅｅｎ２０を０.０５重量％含むＴＢＳを送液として２０分間循環させる
ことによって洗浄した。
【０１７５】
ＣＣＤから観察したときのシグナル値を計測しアッセイシグナルとした。なお、ＡＦＰを０ｎｇ／ｍＬ時のＳＰＦＳ測定シグナルをブランクシグナルとした。アッセイ評価としては実施例１と同様のアッセイシグナル変化量を算出することで評価した。
【０１７６】
得られた結果を、表２および図３に示す。
【０１７７】
【表２】
2010181322.tif 000005
【０１７８】
発明のプラズモン励起センサ上では基盤に蛍光色素層を形成しているため、ブランク状態で極めて高い蛍光シグナルが得られており、比較例２の従来の蛍光標識ＳＰＦＳ測定と較べて、桁違いの極めて高感度な測定が可能であることがわかった。さらに、消光剤の酵素増幅機構を設けることで、比較例１の２次抗体に直接消光剤が修飾されている場合と較べて、高いシグナル変化量を達成できることがわかった。
【産業上の利用可能性】
【０１７９】
本発明のアッセイ法は、高感度かつ高精度に検出することができる方法であるから、例えば、血液中に含まれる極微量の腫瘍マーカーであっても検出することができ、この結果から、触診などによって検出することができない前臨床期の非浸潤癌（上皮内癌）の存在も高精度で予測することができる。
【符号の説明】
【０１８０】
１・・・透明平面基板および、該基板の一方の表面に形成された金薄膜
２・・・蛍光色素層
３・・・リガンドとしての１次抗体
４・・・アナライトとしての標的抗原
５・・・リガンドとしての２次抗体
６・・・２次抗体に標識された酵素
７・・・表面プラズモンにより励起された蛍光
８・・・消光剤基質
９・・・活性化された消光剤
【図３】
2010181322.tif 000006
【図１】
2010181322.tif 000007
【図２】
2010181322.tif 000008